(57)【特許請求の範囲】
【請求項１】
ディスプレイ用の照明光路制御に用いられて、
第１の光学層と第２の光学層とからなり、
前記第１の光学層または前記第２の光学層のいずれか一方に固定要素を有し、
前記第１の光学層の入射面および前記第２の光学層の出射面とを部分的に粘・接着剤層を介して一体化されている光学部材であって
前記第１の光学層に前記固定要素を有する光学部材であって、
隣接する前記固定要素同士の間の距離が２５０ｕｍ以下の箇所において、
前記粘・接着剤層は、
前記隣接する前記固定要素の頂部と前記第２の光学層の前記出射面にのみ接していることを特徴とする光学部材。
【請求項２】
ディスプレイ用の照明光路制御に用いられて、
第１の光学層と第２の光学層とからなり、
前記第１の光学層または前記第２の光学層のいずれか一方に固定要素を有し、
前記第１の光学層の入射面および前記第２の光学層の出射面とを部分的に粘・接着剤層を介して一体化されている光学部材であって
前記第２の光学層に前記固定要素を有する光学部材であって、
隣接する前記固定要素同士の間の距離が２５０ｕｍ以下の箇所において、
前記粘・接着剤層は、
前記隣接する前記固定要素の頂部と、
前記第１の光学層の前記入射面にのみ接していることを特徴とする光学部材。
【請求項３】
前記固定要素の面積が、前記第１の光学層の前記入射面もしくは前記第２の光学層の前記出射面の総面積の１％以上５０％以下であることを特徴とする請求項１または請求項２に記載の光学部材。
【請求項４】
前記固定要素の高さに対し、前記粘・接着剤層の厚みが１倍以内であることを特徴とする、請求項１乃至３のいずれかに記載の光学部材。
【請求項５】
前記固定要素の側面部に前記粘・接着剤層が接していないことを特徴とする請求項１及至４のいずれか記載の光学部材。
【請求項６】
前記固定要素の表面に遮蔽層を設けたことを特徴とする請求項１乃至５のいずれかに記載の光学部材。
【請求項７】
前記粘・接着剤層は、貯蔵弾性率が、０．１〜０．５（Ｍｐａ／２５℃）、損失弾性率が、０．１〜０．４（Ｍｐａ／２５℃）であることを特徴とする請求項１乃至６のいずれかに記載の光学部材。
【請求項８】
表示画像を規定する画像表示素子の背面に、
光源と、請求項１乃至請求項７のいずれかに記載の光学部材を少なくとも備えることを特徴とするディスプレイ用バックライト・ユニット。
【請求項９】
画素単位での透過／遮光に応じて表示画像を規定する液晶表示素子からなる画像表示素子と、光源と、請求項８に記載のバックライト・ユニットを備えることを特徴とするディスプレイ。
【発明の詳細な説明】
【技術分野】
【０００１】
本発明は、画素単位での透過／非透過のレンズシートおよびディスプレイ用光学シート、あるいは透明状態／散乱状態に応じて表示パターンが規定される表示素子が配置された液晶パネルを、背面側から照明するバックライトユニット、ディスプレイ装置に関する。
【背景技術】
【０００２】
近年、ＴＦＴ型液晶パネルやＳＴＮ型液晶パネルを使用した液晶表示装置は、主としてＯＡ分野のカラーノートＰＣ（パーソナルコンピュータ）を中心に商品化されている。
【０００３】
このような液晶表示装置においては、液晶パネルの背面側（観察者側）に光源を配置し、この光源からの光で液晶パネルを照明する方式、いわゆる、バックライト方式が採用されている。
【０００４】
この種のバックライト方式に採用されているバックライトユニットとしては、大別して冷陰極管（ＣＣＦＴ）等の光源ランプを、光透過性に優れたアクリル樹脂等からなる平板状の導光板内で多重反射させる「導光板ライトガイド方式」（いわゆる、エッジライト方式）と、導光板を用いない「直下型方式」とがある。
【０００５】
導光板ライトガイド方式のバックライトユニットが搭載された液晶表示装置としては、例えば、図１２に示すものが一般に知られている。
【０００６】
これは、上部に偏光板７１，７３に挟まれた液晶パネル７２が設けられ、その下面側に、略長方形板状のＰＭＭＡ（ポリメチルメタクリレート）やアクリル等の透明な基材からなる導光板７９が設置されており、該導光板の上面（光射出側）に拡散フィルム（拡散層）７８が設けられている。
【０００７】
さらに、この導光板７９の下面に、導光板７９に導入された光を効率よく上記液晶パネル７２方向に均一となるように散乱して反射されるための散乱反射パターン部が印刷などによって設けられる（図示せず）と共に、散乱反射パターン部下方に反射フィルム（反射層）７７が設けられている。
【０００８】
また、上記導光板７９には、側端部に光源ランプ７６が取り付けられており、さらに、光源ランプ７６の光を効率よく導光板７９中に入射させるべく、光源ランプ７６の背面側を覆うようにして高反射率のランプリフレクター８１が設けられている。上記散乱反射パターン部は、白色である二酸化チタン（ＴｉＯ２）粉末を透明な接着剤等の溶液に混合した混合物を、所定パターン、例えばドットパターンにて印刷し乾燥、形成したものであり、導光板７９内に入射した光に指向性を付与し、光射出面側へと導くようになっており、高輝度化を図るための工夫である。
【０００９】
さらに、最近では、光利用効率をアップして高輝度化を図るべく、図１３に示すように、拡散フィルム７８と液晶パネル７２との間に、光集光機能を備えたプリズムフィルム（プリズム層）７４，７５を設けることが提案されている。このプリズムフィルム７４，７５は導光板７９の光射出面から射出され、拡散フィルム７８で拡散された光を、高効率で液晶パネル７２の有効表示エリアに集光させるものである。
【００１０】
しかしながら、図１２に例示した装置では、視野角の制御は、拡散フィルム７８の拡散性のみに委ねられており、その制御は難しく、ディスプレイの正面方向の中心部は明るく、周辺部に行くほど暗くなる特性は避けられない。そのため、液晶画面を横から見たときの輝度の低下が大きく、光の利用効率の低下を招いていた。
さらに、図１３に例示したプリズムフィルムを用いる装置では、プリズムフィルムの枚数が２枚必要であるため、フィルムの吸収による光量の低下が大きいだけでなく、部材数の増加によりコストが上昇する原因にもなっていた。
【００１１】
一方、直下型方式は、導光板の利用が困難な大型の液晶ＴＶなどの表示装置が用いられている。
【００１２】
直下型方式の液晶表示装置としては、図１４に例示する装置が一般的に知られている。これにおいては、上部に偏光板７１、７３に挟まれた液晶パネル７２が設けられ、その下面側に、蛍光管等からなる光源５１から射出され、拡散フィルム８２のような光学シートで拡散された光を、高効率で液晶パネル７２の有効表示エリアに集光させるものである。光源５１からの光を効率よく照明光として利用するために、光源５１の背面には、リフレター５２が配置されている。
【００１３】
しかしながら、図１４に例示する装置でも、視野角の制御は、拡散フィルム８２の拡散性のみに委ねられており、その制御は難しく、ディスプレイの正面方向の中心部は明るく、周辺部に行くほど暗くなる特性は避けられない。そのため、液晶画面を横から見たときの輝度の低下が大きく、光の利用効率の低下を招いていた。さらに、プリズムフィルムを用いるものでは、プリズムフィルムの枚数が２枚必要であるため、フィルムの吸収による光量の低下が大きいだけでなく、部材数の増加によりコストが上昇する原因にもなっていた。
【００１４】
また光源５１間の間隔が広すぎると、画面上に輝度ムラが生じやすく、光源５１の数を減らせず、消費電力の増加及びコストの増加を招く原因となっていた。
【００１５】
ところで、このような液晶表示装置では、軽量、低消費電力、高輝度、薄型化であることが市場ニーズとして強く要請されており、それに伴い、液晶表示装置に搭載されるバックライトユニットも、軽量、低消費電力、高輝度であることが要求されている。
【００１６】
特に、最近、目覚しい発展をみるカラー液晶表示装置においては、液晶パネルのパネル透過率がモノクロ対応の液晶パネルに比べ格段に低く、そのため、バックライトユニットの輝度向上を図ることが、装置自体の低消費電力を得るために必須となっている。
【００１７】
しかしながら、上述したように従来の装置では、高輝度、低消費電力の要請に充分に応えられているとは言いがたく、ユーザからは、低価格、高輝度、高表示品位で、かつ低消費電力の液晶表示装置を実現できるバックライトユニットの開発が待ち望まれている。
【００１８】
上記の状況に鑑みて本出願人は、例えば、特許文献１のように、液晶パネルと、この液晶パネルに背面側から光を照明する光源手段とを備え、この光源手段に、光源からの光を液晶パネルへと導くレンズ層が設けられ、該レンズ層焦点面近傍に開口をもつ遮光部を有することを特徴とする液晶表示装置を提案している。
【００１９】
上述の特許文献１には、同文献の図１から図３に示されるように、液晶パネルとバックライトユニットの間に、遮光部を有するレンズシートを配置してなる構成が開示されているが、図１から図３のいずれも、レンズシートは液晶パネル側にレンズ部を構成する凹凸形状を有している。
【００２０】
上述のレンズシートを介在させたことによる作用効果は、導光板から射出する光が有する拡散性をレンズ作用により変調して、液晶パネル側にレンズ部を構成する凹凸形状を有している。
【００２１】
上述のレンズシートを介在させたことによる作用効果は、導光板から射出する光が有する拡散性をレンズ作用に変調して、液晶パネル側に方向を揃えて射出させることが可能となる点にある。
【００２２】
加えて、特定箇所に開口を形成したことにより、液晶パネルの画素に入射する光量を選択的に多くすることが可能となり、バックライトの利用効率が向上することと、前記開口の形状を制御することで表示光の視野領域も制御することが可能となることである。
【特許文献１】特開２０００−２８４２６８号公報
【特許文献２】特開２００６−１０６１９７号公報
【００２３】
図１１（ａ）（ｂ）は従来の一体型光学部材の代表的な構成を示す模式図である。第１の光学層１と、第２の光学層５が、固定要素３と粘・接着剤４を介して接合されている。固定要素３があるため、第１の光学層１と第２の光学層５の間に空隙２を得ている。固定要素３は第１の光学層１もしくは第２の光学層５に設けられている。固定要素３を有していない光学層は粘・接着剤４と面全体で接しているが、固定要素３と粘・接着剤４の接合面積は固定要素３を有していない光学層と粘・接着剤４との接合面積に比べ少なく、また個々の接合面積も小さい。一般的に粘・接着剤の密着力は接合面積の縮小により極端に低下するため、固定要素３と粘・接着剤４の接合界面は非常に剥がれ易く、後述の実施例に示すように、実用に耐えうる密着力を有していない。加えて、固定要素３は集光機能低下の要因となるため、接合面積は少なく、小さい方が好ましい。
【発明の開示】
【発明が解決しようとする課題】
【００２４】
レンズシートと拡散板を一体化した光学部材では、集光機能を得るためにレンズシートの拡散板との間に空隙を介して接合する必要がある。また、接合方法として粘・接着剤を使用する。さらに、空隙を形成するために図１１のようにレンズシートと拡散板の間に固定要素を設ける手法が一般的である。
しかし、この場合、固定要素と粘・接着剤層との接合面積が少ないため、密着力が極端に低い。このため、バックライトの点灯・消灯の温度変化や衝撃でレンズシートと拡散板が容易に剥がれてしまうという問題がある。また、粘・接着剤層が固定要素の側面にくっ付くと光学特性が低下する問題もある。
【課題を解決するための手段】
【００２５】
請求項１の発明は、ディスプレイ用の照明光路制御に用いられて、第１の光学層と第２の光学層とからなり、前記第１の光学層または前記第２の光学層のいずれか一方に固定要素を有し、前記第１の光学層の入射面および前記第２の光学層の出射面とを部分的に粘・接着剤層を介して一体化されている光学部材であって前記第１の光学層に前記固定要素を有する光学部材であって、隣接する前記固定要素同士の間の距離が２５０ｕｍ以下の箇所において、前記粘・接着剤層は、前記隣接する前記固定要素の頂部と前記第２の光学層の前記出射面にのみ接していることを特徴とする光学部材である。
請求項２の発明は、ディスプレイ用の照明光路制御に用いられて、第１の光学層と第２の光学層とからなり、前記第１の光学層または前記第２の光学層のいずれか一方に固定要素を有し、前記第１の光学層の入射面および前記第２の光学層の出射面とを部分的に粘・接着剤層を介して一体化されている光学部材であって前記第２の光学層に前記固定要素を有する光学部材であって、隣接する前記固定要素同士の間の距離が２５０ｕｍ以下の箇所において、前記粘・接着剤層は、前記隣接する前記固定要素の頂部と、前記第１の光学層の前記入射面にのみ接していることを特徴とする光学部材である。
請求項３の発明は、前記固定要素の面積が、前記第１の光学層の前記入射面もしくは前記第２の光学層の前記出射面の総面積の１％以上５０％以下であることを特徴とする請求項１または請求項２に記載の光学部材である。
請求項４の発明は、前記固定要素の高さに対し、前記粘・接着剤層の厚みが１倍以内であることを特徴とする、請求項１乃至３のいずれかに記載の光学部材である。
請求項５の発明は前記固定要素の側面部に前記粘・接着剤層が接していないことを特徴とする請求項１及至４のいずれか記載の光学部材である。
請求項６の発明は、前記固定要素の表面に遮蔽層を設けたことを特徴とする請求項１乃至５のいずれかに記載の光学部材である。
請求項７の発明は、前記粘・接着剤層は、貯蔵弾性率が、０．１〜０．５（Ｍｐａ／２５℃）、損失弾性率が、０．１〜０．４（Ｍｐａ／２５℃）であることを特徴とする請求項１乃至６のいずれかに記載の光学部材である。
請求項８の発明は、表示画像を規定する画像表示素子の背面に、光源と、請求項１乃至請求項７のいずれかに記載の光学部材を少なくとも備えることを特徴とするディスプレイ用バックライト・ユニットである。
請求項９の発明は、画素単位での透過／遮光に応じて表示画像を規定する液晶表示素子からなる画像表示素子と、光源と、請求項８に記載のバックライト・ユニットを備えることを特徴とするディスプレイである。
【発明の効果】
【００２６】
本発明では、従来の一体化されていない積層構成からなる光学シートに比べ、機能集約がなされている一体型光学部材でありながら、密着性及び光学特性の優れた光学部材を得ることができる。すなわち、粘・接着剤層の接合面を第１の光学層と第２の光学層にそれぞれ設けることで、より大きな密着力を得ることができる。また、粘・接着剤層を固定要素の側面部に接合させないことで光学特性に優れた光学部材を得ることが可能である。
【発明を実施するための最良の形態】
【００２７】
以下、本発明の実施形態を説明する。
【００２８】
図１は本発明の一体型光学部材を使用したディスプレイの構成例を示している。光源１５からの光Ｋは、光学部材１０の第２の光学層５に入射する。その後、第２の光学層５の出射面から空隙２、固定要素３、粘・接着剤４を透過もしくは反射し、最終的に第１の光学層１の入射面に到達する。そして、第１の光学層１の出射面から光Ｌとして出射される。
ここで、バックライト中に光学部材１０以外の、例えば拡散フィルム等の光学部材を使用することも可能である。
次に光Ｌは光学部材１０から出射した後、拡散シート１３を透過し、偏光板２１にはさまれた液晶層１９に到達する。ここを透過した光はＳから出射し、観察者に視認される。
【００２９】
また、本発明の実施の形態に係るディスプレイ装置は、前述の光源１５と光学部材１０とさらにその上に液晶層１９を含んだ装置である。この場合は、ディスプレイ装置は液晶表示装置を示すが、これに限らず、上述の光学部材１０を含んだ、投射スクリーン装置、プラズマディスプレイ、ＥＬディスプレイ等、画像を光を利用して表示する表示装置であればその種類は問わない。
【００３０】
さらに、例えば、図１においては、光学部材１０は、光源１５の上に、順に第２の光学層、第１の光学層が形成されているが、光学部材１０を光源に対して反対に設置し、光源１５の上に、順に第１の光学層、第２の光学層がくるようにしてもよい。この場合、光学部材１０は、光源１５からの光を第１の光学層に形成されたレンズ等で集光・拡散し、さらに第１の光学層から出射された光は第２の光学層でより拡散されることで光源１５のランプイメージを消すことができるので、例えば、光源１５の輝度が極めて高くなる場合や光源と液晶パネルの設置間隔が短くなる場合に使用すると特に有効である。
【００３１】
光源１５は、図２のディスプレイの画像表示に用いる光を供給するものである。
【００３２】
ここで、本願発明に用いられる光源１５としては、以下のようなものが挙げられる。光源１５は、ＣＣＦＬ又は発光効率が良いＬＥＤが好ましい。
図２（ａ）は、携帯電話などのモバイル機器に用いられる、青色に発光する青色ＬＥＤ素子５０を、ＬＥＤ用レンズ５３内部に塗工された黄色に発光する蛍光体５１で覆い、擬似白色に発光する方式の白色ＬＥＤ４６である。
この方式では単色のＬＥＤ素子に蛍光体を覆うだけで擬似白色発光が実現できる利点ある。また本発明に用いる光源１は、上述のものに限らず、一つの単色ＬＥＤ素子に少なくとも１種類以上の蛍光体で覆ったものであってもよい。
【００３３】
次に、図２（ｂ）は、図３（ａ）のＬＥＤ用レンズ５３にプリズム形状を付加したものである。プリズムを用いることにより、白色ＬＥＤ４６から出射される光の配光分布を調整することができる。
【００３４】
図２（ｃ）は、複数の白色ＬＥＤ４６を設置したものである。複数の白色ＬＥＤ４６を設置することで、一つの白色ＬＥＤ４６を用いた場合と比較して輝度が向上する。また、導光板７の大きさも、一つの白色ＬＥＤ４６を使用する場合と比較して大きくすることができる。
さらに、複数の白色ＬＥＤ４６を最適に設置することで、白色ＬＥＤ４６を単体で設置した場合と比較して、光源１からの距離が最も大きい光射出面１１の正多角形の各頂部近傍に、効率良く光を導光させることが可能となる。
そのため、光量が最も少ない領域となる上述の光射出面１１の正多角形の各頂部近傍と、光量が最も多い領域である光射出面１１の中央部近傍との相対的な光量差を小さくすることが出来るため、輝度ムラの低減が可能である。
【００３５】
図３は、擬似白色発光するＬＥＤの他の方式として、単色に発光するＬＥＤ素子（赤色ＬＥＤ素子４８、緑色ＬＥＤ素子４９、青色ＬＥＤ素子５０）を組み合わせて、擬似白色に発光する方式である。この場合、上述のような図Ａの場合と比較して、蛍光体５１がＬＥＤ素子からの発熱で劣化する問題を回避でき、また各ＬＥＤ素子の光量を調節することで任意の色彩を得ることができる。
【００３６】
図４は、単色に発光する単色ＬＥＤ（赤色ＬＥＤ５４、緑色ＬＥＤ５５、青色ＬＥＤ５６）を組み合わせて設置したものである。この場合、図４（ｂ）のように赤色ＬＥＤ５４、緑色ＬＥＤ５５、青色ＬＥＤ５６を一個ずつ組み合わせてもよいし、図４（ｃ）のように、光出力が弱い色（例えば、緑色ＬＥＤ５５）を複数個配置して設置してもよい。
【００３７】
また光源１としては上述のＬＥＤに限定されるものではない。例えば、図５に示すように、単色の半導体レーザー（赤色半導体レーザー５７、緑色半導体レーザー５８、青色半導体レーザー５９）の光を、ファイバ６０に通して混色し、半導体レーザー用レンズ６１から出射してもよい。
【００３８】
光源１５から入射した光Ｋは、第２の光学層５に入射する。第２の光学層５に入射した光は内部で散乱され、拡散光として出射される。
ここで、第２の光学層５は層内の添加物で拡散性を付与した拡散シート、拡散板などが使用できる。ここで、第２の光学層５の表面には微細な凹凸やレンズが形成されていてもよい。すなわち、表面形状と材料の屈折率の違いで拡散機能を有する光学層が使用できる。
【００３９】
ここで、第２の光学層５が、拡散板の場合は以下のような材料を用いる。
例えば、ＰＥＴ（ポリエチレンテレフタレート）、ＰＰ（ポリプロピレン）、ＰＣ（ポリカーボネート）、ＰＭＭＡ（ポリメチルメタクリレート）、ベンジルメタクリレートやＭＳ樹脂、ＰＥＴ（ポリエチレンテレフタレート）、ＰＰ（ポリプロピレン）、ＰＣ（ポリカーボネート）、アクリロニトリルポリスチレン共重合体、ＰＭＭＡ（ポリメチルメタクリレート）、ベンジルメタクリレートやＭＳ樹脂、その他のアクリル系樹脂、あるいはＣＯＰ（シクロオレフィンポリマー）、ＡＳ（アクリルニトリルポリスチレン共重合体）等の光学的に透明な樹脂からなる平板状部材に光拡散性を付与して形成される。その方法は特に限定されないが、例えば、上記平板状部材の表面に微細凹凸加工や研磨による表面粗化（以降これらを施した面を「砂擦り面」という。）を施して拡散性を付与したり、表面に光を散乱させるシリカ、酸化チタン、酸化亜鉛等の顔料もしくは樹脂やガラス、ジルコニア等のビーズ類をバインダとともに塗工したり、上記の樹脂中に光を散乱させる前述の顔料、ビーズ類を混練することで形成される。
【００４０】
またＰＥＴやＰＰ（ポリプロピレン）等にフィラーを混練後延伸することによりボイドを形成して拡散率を高めた樹脂シートでもよい。
本発明において、拡散板としては、上記の素材を用い、かつ、光拡散性を付与した厚み０．０１ｍｍ以上５．０ｍｍ以下の部材を用いることが好ましい。
拡散板に剛性が必要な場合は、１．０ｍｍ以上５．０ｍｍ以下の厚みの拡散板が好ましい。拡散板に柔軟性が要求される場合は、０．０１ｍｍ以上１．０ｍｍ以下の厚みの拡散シートが好ましい。
さらに拡散板の表面には凹凸形状を賦型してもよいし、マット状にしてもよい。これにより拡散板から出射する光の均一性をより向上することができる。この場合、凹凸形状は中心線平均粗さＲａが３μｍ〜１，０００μｍであるプリズム形状、またはレンズ形状が好ましい。プリズム形状の場合、プリズム形状は多角形が好ましく、そのプリズム頂角は４０度〜１７０度、プリズムのピッチは２０μｍ〜７００μｍが好ましい。またプリズム形状は角錐形状、角錐台形状でもよい。また上述の凹凸形状は、凹凸形状に入射する光の照度または輝度に対応して形状を変化してもよく、例えば、凹凸形状に入射する光の照度または輝度が大きい領域では、上述のプリズム頂角を大きくしてもよい。
さらに、この場合の拡散板の全光線透過率は４０％以上９８％以下、ヘイズは２０％〜１００％、吸水率は０．２５％以下が好ましい。
【００４１】
また、主となる材質の中に分散された透明粒子を具備していることが好ましく、これら主となる材質の屈折率と透明粒子の屈折率が異なるものである。主となる材質の屈折率と透明粒子の屈折率の差は０．０１以上であることが望ましい。屈折率の差がこれより小さいと十分な光散乱性能が得られない。また、その屈折率差は０．５以下で十分である。前記透明粒子の平均粒径は０．５〜１０．０μｍであることが望ましい。
【００４２】
また、透明粒子としては、無機酸化物からなる透明粒子又は樹脂からなる透明粒子が使用できる。例えば、無機酸化物からなる透明粒子としてはシリカやアルミナ等からなる粒子を挙げることができる。また、樹脂からなる透明粒子としては、アクリル粒子、スチレン粒子、スチレンアクリル粒子及びその架橋体メラミン―ホルマリン縮合物の粒子、ＰＴＦＥ（ポリテトラフルオロエチレン）、ＰＦＡ（ペルフルオロアルコキシ樹脂）、ＦＥＰ（テトラフルオロエチレン―ヘキサフルオロプロピレン共重合体）、ＰＶＤＦ（ポリフルオロビニリデン）、及びＥＴＦＥ（エチレン―テトラフルオロエチレン共重合体）等の含フッ素ポリマー粒子、シリコーン樹脂粒子等を挙げることができる。これら透明粒子は、２種類以上を混合して使用してもよい。または、板状の部材は主となる材質中に空気を含む微細な空洞を有した構造をしており、主となる材質と空気の屈折率差で拡散性能を得ても良い。
【００４３】
第２の光学層５は複層構造でもよく、複層構成には透明粒子等が含まれていない透明な樹脂層を含んでいても良い。
【００４４】
上述の第２の光学層５はキャスト法、もしくはインジェクション法で製造される。
【００４５】
上述の第２の光学層５から出射した拡散光は、第１の光学層１へと入射する。
【００４６】
ここで、第１の光学層１としては、所望の光の屈折、透過、反射、偏光作用が得られれば特に限定されない。図６にその具体例を示す。
図６（ａ）に示しているのは、偏光分離反射シートである。特定の偏光状態の光のみ透過し、他の偏光状態の光を分離して反射することで光の利用効率を上げることができる。
図６（ｂ）に示しているのは、基材上にプリズム構造を有したプリズムシートである。プリズム構造により、正面方向への光を再帰反射し光の利用効率を上げることができる。
図６（ｃ）に示しているのは、頂点に曲面を有したプリズムシートである。プリズムの頂点に曲面を形成することで磨耗体性を向上することができる。
図６（ｄ）に示しているのは、波型構造の形状を賦型したシートである。光の集光とともに、境界線が生じない形状であるため、モアレを低減することが可能である。
図６（ｅ）に示しているのは、レンチキュラーレンズシートである。図６（ｂ）と比較して、サイドローブの低減が可能である。
図６（ｆ）に示しているのは、断面形状が非対称なレンズシートである。例えば、片側は直線形状で形成され、他方は外側に凸状の曲線形状で形成され、前述の直線形状と曲線形状がレンズ頂点部で丸みを帯びて連結している断面形状でもよい。この場合、左右非対称に配光分布を変更することが可能である。
図６（ｇ）に示しているのは、レンズ高さ、またはレンズピッチをランダムにしたレンズシートである。この場合は、モアレの低減が可能となる。高さ、またはピッチをランダムにすることはプリズムシートにも応用してもよい。
図６（ｈ）に示しているのは、背面側、観察者側両方に、レンズが成形されている両面レンズシートである。両面にレンズをつけることで集光効率を向上することができる。
図６（ｉ）に示しているのは、両面レンズシートで１つのレンズに対して片側が複数のレンズである両面レンズシートである。片側のレンズを複数にすることで集光効率を向上することができる。
図６（ｊ）に示しているのは、レンチキュラーレンズシートの頂部に逆Ｖ字状の凹部を形成したものである。凹部を形成することで再帰反射をさせ光の利用効率を向上することができる。
【００４７】
図６では、プリズムシート、レンチキュラーレンズシートなどを用いたが、それらの代わりに、プリズムに類する光学素子が規則的に配置されたシートを用いても良い。また、レンズ効果を有する素子、例えば、凹レンズ、凸レンズ、ピラミッド型などの光学素子を規則的に備えるシートをプリズムシートの代わりに用いることもできる。
【００４８】
第１の光学層１の材料は、透明性、耐熱性、機械的強度、製造に耐える耐溶剤性などがあれば、用途に応じて種々の材料が適用できる。例えば、ポリエチレンテレフタレ−ト、ポリブチレンテレフタレ−ト、ポリエチレンナフタレ−ト、ポリエチレンテレフタレート―イソフタレート共重合体、テレフタル酸―シクロヘキサンジメタノール―エチレングリコール共重合体、ポリエチレンテレフタレート／ポリエチレンナフタレートの共押し出しフィルムなどのポリエステル系樹脂、ナイロン６、ナイロン６６、ナイロン６１０などのポリアミド系樹脂、ポリエチレン、ポリプロピレン、ポリメチルペンテンなどのポリオレフィン系樹脂、ポリ塩化ビニルなどのビニル系樹脂、ポリアクリレート、ポリメタアクリレート、ポリメチルメタアクリレートなどのアクリル系樹脂、ポリイミド、ポリアミドイミド、ポリエーテルイミドなどのイミド系樹脂、ポリアリレート、ポリスルホン、ポリエーテルスルホン、ポリフェニレンエーテル、ポリフェニレンスルフィド（ＰＰＳ）、ポリアラミド、ポリエーテルケトン、ポリエーテルニトリル、ポリエーテルエーテルケトン、ポリエーテルサルファイトなどのエンジニアリング樹脂、ポリカーボネート、ポリスチレン、高衝撃ポリスチレン、アクリロニトリルポリスチレン共重合体、ＡＢＳ樹脂などのスチレン系樹脂、セロファン、セルローストリアセテート、セルロースダイアセテート、ニトロセルロースなどのセルロース系フィルムなどがある
【００４９】
また第１の光学層１は、偏光分離反射シートの場合は、異なる屈折率を有する２種類の層を、交互に重ね合わせた多層構造のフィルムを単一軸の方向に引き伸ばすことによって製造してもよい。
プリズムシート、レンズシートなどの場合は当該技術分野では良く知られている押し出し成形法、出射成形法、キャスト法、あるいは熱プレス成形法によって形成する。この場合において、基材とレンズ部は、同一の材料からなる一つの基材から構成しても良いし、それぞれ別の材料の別の基材から作製してもよい。またレンズ部の反対側の非集光部に段差を設けて、成形してもよい。また厚みは、１２μｍ以上２ｍｍで使用できるが、特に１２μｍ以上５００μｍ以下が好ましい。
またレンズ部をＵＶや放射線硬化型の樹脂（ＵＶや放射線で硬化する材料を含む樹脂であれば特に種類は限定しない）を用いて成形してもよい。
【００５０】
第１の光学層１は第２の光学層５と同様の主となる材質使用することができ、同様に前述した透明粒子を具備して構成されていてもよい。これら主となる材質の屈折率と透明粒子の屈折率が異なるものである必要がある。主となる材質の屈折率と透明粒子の屈折率の差は０．０２以上であることが望ましい。屈折率の差がこれより小さいと十分な光散乱性能が得られない。また、その屈折率差は０．５以下でよい。また光学層に入射した光を散乱させながら透過させる必要があるため、前記透明粒子の平均粒径は０．５〜１０．０μｍであることが望ましい。または、主となる材質中に空気を含む微細な空洞を有した構造をしており、主となる材質と空気の屈折率差で拡散性能を得ても良い。
【００５１】
もしくは、第１の光学層１は、前述の基材の片面もしくは両面の表面に微粒子層を塗布したものでもよい。この微粒子層については、例えば、ビーズ、スペーサー等を含有する透明インキが挙げられるが、微粒子層の厚さ、微粒子の種類、大きさに限定はない。
【００５２】
上述の第１の光学層１と第２の光学層５は、固定要素３を介し、粘・接着剤層４により一体化されている。
【００５３】
図７の（ａ）、（ｂ）は本発明の光学部材の構成例を示す図である。
図７の（ａ）は、第１の光学層１が固定要素３を具備している構成例を示している。また、図７の（ｂ）は、第２の光学層５が固定要素３を具備している構成例を示す。
この場合、光源１５は、第２の光学層５に対して、第１の光学層１とは反対面側に位置している。本発明では粘・接着剤層４は第１の光学層１の入射面および第２の光学層５の出射面に接している。また、空隙２を保持するために、粘・接着剤層４は部分的に第１の光学層１の入射面もしくは第２の光学層５の出射面に接している。
このため、従来構成のように粘・接着剤層４が固定要素３とのみに接している場合と比べ、粘・接着剤層４が固定要素だけでなく、固定要素を有する光学層の入射又は出射面とも接合しているため、従来構成と比較して接合面積が大きく、後述する実施例に示すような強靭な密着を得ることができる。
【００５４】
ところで、図８の（ａ）、（ｂ）は固定要素の側面に粘・接着剤層４が接触しており、この場合は、第１の光学層１の効果を十分に得ることができない。
【００５５】
図１０（a）より、固定要素３の側面部に粘・接着剤層４が接触する場合、固定要素３と、粘・接着剤層４との屈折率差が小さくなるため、拡散光が粘・接着剤層４から固定要素に入射した際にほとんど屈折されずに、拡散光として固定要素３内を伝播する。この際、拡散光の一部（光線Ａ）は、Ｓ方向に対して大きな角度を有して、光学層１に入射する。Ｓ方向に対して大きな角度を有して入射した場合、光学層１でＳ方向に偏向されず迷光となってしまうため、光の利用効率が低下する。
一方、図１０（ｂ）のように固定要素の側面に粘・接着剤層４が接触しない場合、固定要素３と空隙２の屈折率差は十分大きいため、拡散光が空隙２から固定要素３に入射した際に角度φに集光される。集光された光は、入射位置と対向した位置で、固定要素３から空隙２に出射する。このため、第１の光学層１にＳ方向に対して大きな角度を有して入射しないため、迷光が発生せず光の利用効率の低下が生じない。
【００５６】
ここで、固定要素３の側面とは、図９より、固定要素の設置されている第１の光学層１の光入射面若しくは第２の光学層５の光出射面から、固定要素３の高さＨに対して、３０％までの高さをいう。
また、固定要素３の頂部は、粘・接着剤層４と接合する箇所であり固定要素の高さＨに対して、５％から７０％までの高さまで埋まっていてもよい。
さらに固定要素３の総数に対して６割以上が固定要素３の側面に粘・接着剤層４が接合されていると光学特性は特によくない。
【００５７】
粘・接着剤層４としては、例えば、アクリル系、ウレタン系、ゴム系、シリコーン系の粘・接着剤が挙げられる。また安定に間隙を確保するために、接・粘着剤層４の中に透明の微粒子、例えば、ビーズ等を混ぜても良い。
また場合によっては、粘・接着剤層４は両面テープ状のものでも良いし、単層のものでもよい。
【００５８】
さらに、表示領域内に接・粘着剤を使用するため、光の吸収は１％以内でなければならない。１％を超えると光学部材１０から射出する積算光量が減少し、光学層によらず正面輝度が低下する。また、固定要素３の高さに対し、粘・接着剤層４の厚みが１倍以内でなければならない。１倍を超えると、粘・接着剤層４が固定要素３を埋めてしまい、空隙が保てなくなる。なお、粘・接着剤の架橋度を増し、硬くすることで埋まりにくい傾向になるが、粘・接着剤の密着力が低下する。厚みが光学要素の１倍を超えても空隙を保つ組成はあるが、架橋度が高すぎるため、実用に耐えうる密着力はない。
【００５９】
また、粘・接着剤層４は、図７に示すように、固定要素３の側面に接着せず、固定要素３を完全に埋めてはならないため、以下の特性を有することが必要となる。粘・接着剤層４は、貯蔵弾性率は、２０℃で０．１から０．５Ｍｐａであり、損失弾性率は、２０℃で、０．１から０．４Ｍｐａである。
すなわち、貯蔵弾性率が、０．１ＭＰａ以下では粘・接着剤層４が固定要素３の側面部についてしまい、また０．５ＭＰａ以上では第１の光学層１と第２の光学層５との密着性が悪くなる。損失弾性率が、０．１ＭＰａ以下では、粘・接着剤層４が固定要素３の側面部についてしまい、また、０．４ＭＰａ以上では、第１の光学層１と第２の光学層５との密着性が悪くなる。
【００６０】
粘・接着剤層４を設ける方法として、コンマコーター等の各種塗工装置、印刷方式、ディスペンサーやスプレーを用いる方法、または筆等を用いた手作業による塗工であってもよい。また、これらの方法を用いてあらかじめ粘・接着剤のドライフィルムを用意し、ドライフィルムを光学層に貼り合せる方法を用いても良い。
【００６１】
次に固定要素３は、第１の光学層１と第２の光学層５の間に空隙を確保するものである。この固定要素３を用いることで、きわめて安定に空気層を、一定の厚みで均一に固定することができるので光学密着、ムラ、ニュートンリングなどの外観特性を向上することもできる。固定要素３は、一定の形状に成形された主となる材質から構成される。
【００６２】
固定要素３の主となる材質として、例えば、ポリエステル樹脂、アクリル樹脂、ポリカーボネ−ト樹脂、ポリスチレン樹脂、アクリル・スチレン共重合体、ポリメチルペンテン樹脂、スチレン・ブタジエン・アクリロニトリル共重合体、シクロオレフィンポリマー等の熱可塑性樹脂、あるいはポリエステルアクリレート、ウレタンアクリレート、エポキシアクリレート等のオリゴマー又はアクリレート系等からなる放射線硬化性樹脂などの主となる材質が一般的に用いられるが上記の材料以外にも固定要素３の特性を出せる樹脂等も使用することができる。
【００６３】
また主となる材質中には、無機、有機粒子や気泡などを含有して、拡散や着色など他の効果を併せ持たせてもよい。主となる材質中に分散させる粒子として、シリカやアルミナ、酸化チタンやカーボンブラック、ガラスビーズなどの無機物や各種樹脂ビーズ等の有機物などを使用することができる。また透明固定要素３に分散させる各種粒子は固定要素３の表面に反射特性を持たせるなど、局所的に配置させたりするもできる。また樹脂中に気泡などを分散させて粒子の代わりに用いることもできる。これらの主となる材質中に分散させる粒子や気泡は、使用する用途に応じて、複数種類を組み合わせて使用したり、あえて使用しなくてもよい。
【００６４】
固定要素３は第１の光学層１もしくは第２の光学層５に一体成形されていても良い。この場合、材質は各々の光学層と同じか、固定要素３付近は材質や粒子などの添加物の比率を変えても良い。もしくは固定要素３は他の光学層と一体成形されていなくても良い。
【００６５】
固定要素３の高さとしては剛性のないシート状部材の歪みによる光学密着を妨げるため、また屈折率差を得るため間隙を２００ｎｍ以上保つ必要がある。また固定要素３の高さが２ｍｍを超えると、固定要素３の視認性が上がり、ムラの原因になり、またサイドから光漏れが起こりやすくなるため好ましくない。
【００６６】
固定要素３の接合面積が増加すると、輝度低下の要因となるため、接合面積が第１の光学層１もしくは第２の光学層５の面積の１％以上５０％以下とする。１％を下回るとでは本発明によらず実用に耐えうる密着を得るのが事実上不可能であり、５０％を超えると輝度低下が大きすぎ、本来の光学部材１０としての機能を果たさない。
【００６７】
また固定要素３の形状として一方向に延在したレンチキュラー形状や台形形状、プリズム形状などの線構造や多角錐、円錐（又は多角台錐、円錐台など）や多角柱、円柱などの柱状、直方体や球状（又は半球状）、楕円体などの点構造であってもよい。または格子状でもよいし、これらを組み合わせた形状でも良い。固定要素３の高さが一定であれば側面の形状は不特定の形状であってもよいし、階段状になっていても良い。これらの固定要素３で空隙を確保する場合、上記の１種類の固定要素３構造を全体に使用しても、複数種類の固定要素３構造を組み合わせて使用してもよい。またこれらの固定要素３の配列はストライプ状や点線等の周期的なものでもランダムでもよく、設計に応じて適宜選択される。
【００６８】
また、一つの固定要素３の接地面積は、画像表示時の固定要素３ムラの視認性を低下させるために、一方向に延在したレンチキュラー形状や台形形状、プリズム形状、などの線構造に関しては線幅が２００μｍ以下であることが好ましい。また円錐（又は多角台錐、円錐台など）や多角柱、円柱などの柱状、直方体や球状（又は半球状）、楕円体などの点構造の接地面積を３５０００μｍ２以下にすることが好ましい。
更に視認性を向上させるために前記線幅を５０μｍ、面積８０００μｍ２以下にすることがより好ましい。
【００６９】
次に固定要素３の表面は、光を遮蔽する遮蔽表面を有していても良い。光を遮蔽するものであるため、光を反射するものであってり、カーボンブラックのように光を吸収する黒色の層が固定要素３の表面にあってもよい。
【００７０】
複数の反射表面を有する固定要素３を用いる場合について述べる。
【００７１】
反射表面を有する固定要素３の場合は、固定要素３を形成する主となる材質の中に金属粒子または高屈折率透明粒子を練り混ぜて作成することができる。また固定要素３の表面に光反射性の高い銀やアルミウム、ニッケル等の金属を蒸着やスパッタ等の乾式成膜によっても作成できる。
【００７２】
または、透明な固定要素３の表面に高屈折率透明粒子を分散混合してなるインキを塗布することによっても作製できる。尚、上述以外に反射性を有する層の作成方法として、金属粒子または高屈折率透明粒子をバインダーに練りこんだものを転写で形成、又は白箔や金属箔のラミネート形成によっても形成できる。
【００７３】
ここで、高屈折率透明粒子としては、例えば、酸化チタン、硫酸バリウム、炭酸マグネシウム、酸化亜鉛、クレー、水酸化アルミニウム、硫化亜鉛、シリカおよびシリコーンなどが挙げられる。金属粒子または金属箔としては、例えば、アルミニウムや銀が挙げられる。これらの高屈折率透明粒子、金属粒子または金属箔は１種類を使用しても良いし、複数種類を混ぜて使用しても良い。
【００７４】
さらに光反射の機能を有する層による光の吸収は１％以内でなければならない。１％を超えると第１の光学層１から射出する積算光量が減少し、集光の光制御要素によらず軸上輝度が低下する。
【００７５】
また反射機能を有する固定要素３の形状は、上述の反射機能がない固定要素３の場合と同じである。
【００７６】
以上のようにして作製した一体化型の光学部材は従来の一体化型の光学部材に比べ、実用に耐えうる密着力を有している。バックライトに使用する際は、本発明の光学部材や他の光学部材を組み合わせて使用することで所望の表示性能を持つディスプレイを提供することができる。
【００７７】
以下、実施例を記載する。
【００７８】
（第１の光学層の製造方法）
（実施例１）
ピッチ１４０μｍ凸シリンドリカルレンズの形状に切削した第１金型ロールを押出し機に近接して配置した。熱可塑性ポリカーボネート樹脂シートを溶融し、上記押出し機により成型し、当該シートが冷却、硬化する前に上記第１金型ロールによって成形して、レンチキュラーレンズを有する光学層を得た。厚みは２４０ｕｍとした。
固定要素３を具備する第１の光学層１は、上記の第１金型ロールに加え、半球状ドットが不規則に配列した第２金型ロールを配置し、同様の方法でレンチキュラーレンズと、その反対面に直径７０ｕｍ、高さ３０ｕｍ、平均ドット間距離２５０ｕｍの半球状凸ドットを有している光学層を得た。光学部材の面積に占める接合面積は８％であった。厚みは２４０ｕｍとした。なお、固定要素３を具備する光学層については、熱可塑性ポリカーボネート樹脂は透明なものと、屈折率１．４９、粒径２μｍのスチレン粒子を３０重量％添加し、曇り度をもたせたもの２種類を使用して作成した。
【００７９】
（第２の光学層の製造方法）
（実施例２）
新日鐵化学のＭＳ２００を使用し、板材押出時に固定要素３を直接成形した。すなわち、押出機の一号冷却ロール或いは二号冷却ロールの表面を加工して冷却ロール表面に凹凸の型を加工した。板材押出時に、冷却ロール表面の型により板材に凹凸形状を転写して作製した。固定要素３形状は直径７０ｕｍ、高さ３０ｕｍ、平均ドット間距離２５０ｕｍの半球状凸ドットとした。光学部材の面積に占める接合面積は８％であった。厚みは２ｍｍとした。
【００８０】
（粘着剤の製造方法）
（実施例３）
アクリル系樹脂の粘着剤をファウンテンリバース方式で塗工し、１０ｕｍの厚みのドライフィルムを得た。また、同様にして粒子径１５ｕｍのポリスチレンフィラーを２０％添加したものも用意し、１５ｕｍの厚みのドライフィルムを作成した。
【００８１】
（従来構造の光学層の接合）
（実施例４）
各光学層を５００ｍｍ×８００ｍｍにカットし、はじめに固定要素３がない光学層に粘着剤のドライフィルムをラミネートし、続いて固定要素３を具備する光学層をラミネートし、一体型の光学部材を得た。
（実施例５）
各部材を５００ｍｍ×８００ｍｍにカットし、はじめに固定要素３を具備する光学層に粘着剤のドライフィルムをラミネートし、続いて固定要素３がない光学層をラミネートし、一体型の光学部材を得た。固定要素３を具備する光学層に先に粘着剤のドライフィルムをラミネートすることで、粘着剤の一部が自然に固定要素の間に密着し、本発明の構造の光学部材を得ることができる。今回の固定要素３は平均距離が２５０ｕｍの不規則配置としており、この距離を上回る距離の部分については粘着剤が自然に固定要素３の間に密着した。逆にこの距離を下回る部分については粘着剤が固定要素３の間に密着することはまれであった。
【００８２】
（密着力の測定）
（実施例６）
上記の方法で得たサンプルは、材料と接合方法の組み合わせから表１のようになった。これらのサンプルの中心部分を１０ｃｍ×３０ｃｍに切り出し、第１の光学層１をつかみ１８０°、１０００ｍｍ／ｍｉｎ剥離、幅２５ｍｍの条件で剥離試験を行った。結果を表１に示す。
結果から、材料の差にくらべ接合方法の差が非常に大きいことがわかった。第１の光学層１と第２の光学層５ともに固定要素３がない場合、１．７Ｎ／２５ｍｍ以上（測定不能）の剥離強度を示す粘着剤でも、固定要素３を介した場合０．２２Ｎ／２５ｍｍまで落ち込むことが分かった。このレベルの密着力は非常に剥がれ易く、ハンドリングも困難であった。ただし、バックライトに組み込み正面輝度を比較すると、第１の光学層１と第２の光学層５ともに固定要素３がない場合、いずれかに固定要素３があるものに比べて正面輝度が約４０％低下し、光学部材としての機能を発現しなかった。すなわち、固定要素１と固定要素３によって保持される空隙２は必須であると判断できる。
次に、第１の光学層１もしくは第２の光学層５のいずれかに固定要素３を具備する組み合わせについて、従来構成と本発明の構成を比較すると、本発明の構成は従来構成に比べ数倍の剥離強度を示した。これは、接合面が固定要素３のみではなく、固定要素３間にもあることで密着が飛躍的に向上したためである。
【表１】
0005104459.tif 000002
【００８３】
（信頼性の確認）
（実施例７）
剥離強度が高い本発明の光学部材を８０℃の環境に５００ｈ投入し、剥がれの様子を観察した。その結果、常温のハンドリングですら困難だった従来構成に比べ、本発明の構成は試験後も剥がれを生じることがなかった。これは、剥離強度の強さによるものと考えられる。
【００８４】
（接着面積とムラ視認性の検証）
（実施例８）
第１の光学層１に固定要素３を形成し、形状は直径７０ｕｍ、高さ３０ｕｍ、半球状凸ドットとし、個数を増減することで、表２に示すような固定要素３を有する面と粘着剤との接着面積を変えた光学部材を用意した。この光学部材を、ＣＣＦＬ光源を有するバックライトに組み込み、液晶パネルをのせて外観に異常がないか確認した。その結果、接着面積が２５％を下回ると、接着部分の分布の偏在がムラとして視認された。このことから、接着面積は２５％以上であることが望ましい。ただし、光学部材と液晶パネルの間に拡散フィルムを設けるなどすれば、ムラは認識しにくくなるため、光学部材の積層構成によっては問題にならないと考えられる。
【表２】
0005104459.tif 000003
【図面の簡単な説明】
【００８５】
【図１】本発明の一体型光学部材を用いたディスプレイの構成例を示す説明図。
【図２】光源として白色ＬＥＤの一例を示す概略図である
【図３】光源として白色ＬＥＤの一例を示す概略図である。
【図４】光源として白色ＬＥＤの組み合わせを示す概略図である。
【図５】光源として半導体レーザーの一例を示す概略図である。
【図６】第１の光学層の一例を示す概略図である。
【図７】本発明の一体型光学部材の構成例を示す概略図である。
【図８】本発明の一体型光学部材の比較例を示す概略図である。
【図９】固定要素３を示す概略図である。
【図１０】粘・接着剤層４の接着箇所と光線図を示す概略図である。
【図１１】従来技術に係る一体型光学部材の構成例を示す説明図。
【図１２】従来技術による液晶表示装置の構成例を示す説明図である。
【図１３】従来技術による液晶表示装置の構成例を示す説明図である。
【図１４】従来技術による液晶表示装置の構成例を示す説明図である。
【符号の説明】
【００８６】
１    第１の光学層
２    空隙
３        固定要素
４        粘・接着剤層
５        第２の光学層
１０  光学部材
１３  拡散シート
１５  光源
１７  反射板
１９  液晶層
２１  偏光板
４６  白色ＬＥＤ
４７  ＬＥＤ用基板
４８  赤色ＬＥＤ素子
４９  緑色ＬＥＤ素子
５０  青色ＬＥＤ素子
５１  蛍光体
５３  ＬＥＤ用レンズ
５４  赤色ＬＥＤ
５５  緑色ＬＥＤ
５６  青色ＬＥＤ
５７  赤色半導体レーザー
５８  青色半導体レーザー
５９  青色半導体レーザー
６０  ファイバ
６１  半導体レーザー用レンズ
Ｋ    光源からの光
Ｌ    光学部材からの出射光
Ｓ    ディスプレイの視認方向
Ｈ    固定要素の高さ
【図７】
0005104459.tif 000004
【図８】
0005104459.tif 000005
【図９】
0005104459.tif 000006
【図１０】
0005104459.tif 000007
【図１２】
0005104459.tif 000008
【図１３】
0005104459.tif 000009
【図１４】
0005104459.tif 000010
【図１】
0005104459.tif 000011
【図２】
0005104459.tif 000012
【図３】
0005104459.tif 000013
【図４】
0005104459.tif 000014
【図５】
0005104459.tif 000015
【図６】
0005104459.tif 000016
【図１１】
0005104459.tif 000017